(57)【特許請求の範囲】
【請求項１】
第１コンデンサおよび第２コンデンサに蓄えた電気エネルギーをそれぞれ利用しシャッタの先幕および後幕の係止を解除して該シャッタを駆動する電磁駆動シャッタを備えたカメラにおいて、
前記シャッタの先幕を走行させる直前に前記第１のコンデンサおよび第２のコンデンサへの充電を停止し、露光時間が所定の時間よりも長い場合には前記シャッタの後幕走行開始の所定時間前から前記第２のコンデンサへの充電を再度行うようにするシャッタ駆動制御手段を有することを特徴とするカメラ。
【請求項２】
前記シャッタ駆動制御手段は、レリーズ釦の１段目のスイッチＡを検知して前記第１および第２コンデンサの充電を開始し、前記レリーズ釦の２段目のスイッチＢを検知してカメラの機械的シーケンスを実施し、前記第１および第２コンデンサの充電を直前に停止してシャッタ先幕をスタートさせることを特徴とする請求項１記載のカメラ。
【請求項３】
前記シャッタ駆動制御手段は、測光演算結果から露光時間の判断を行い、前記所定の時間未満の場合はシャッタ先幕スタート後に続けてシャッタ後幕をスタートさせ、前記露光時間が前記所定の時間以上の場合は前記所定時間前に再度第２コンデンサの充電を行った後にシャッタ後幕をスタートさせることを特徴とする請求項１又は２記載のカメラ。
【発明の詳細な説明】
【０００１】
【発明の属する技術分野】
本発明は、電磁駆動シャッタを有するカメラに関し、特にコンデンサに蓄えた電気エネルギーを利用する電磁駆動シャッタを有するカメラに関するものである。
【０００２】
【従来の技術】
従来、コンデンサに蓄えられた電気エネルギーを利用して駆動するタイプのシャッタでは、シャッタの先幕及び後幕の係止を解除するマグネット等を高精度で確実に駆動しなければならないので、コンデンサに対する充電はシャッタの先幕および後幕を走行させる直前まで、先幕駆動用コンデンサ、後幕駆動用コンデンサにそれぞれ継続的に行われていた。
【０００３】
【発明が解決しようとする課題】
しかしながら、上記従来例では、コンデンサへの充電をシャッタの先幕及び後幕を走行させる直前まで継続的に行うため、長時間の露光の例えば天体撮影等をする場合にはコンデンサへの充電も長時間必要になっていた。
【０００４】
そもそもコンデンサは特性上から自然放電するために、長時間放置するとコンデンサに蓄えられた電圧が低下してしまうもので、図４はそうした従来のコンデンサの自然放電特性を示す図であり、縦軸に電圧を横軸には時間を示したものである。カーブ３１は温度が２５℃の時の自然放電カーブ、３２は温度が８５℃の時の自然放電カーブで、時間の経過により電圧が低下することが分かる。又、３２から周囲温度や素子の発熱等の内部温度による温度変化が高温になるほど電圧の低下が早い。このように自然放電したエネルギー分を補うためにコンデンサへの充電が必要となり、露光時間に比例して充電するエネルギーも多くなるという問題がある。
【０００５】
また、容量の大きいコンデンサを使用するようになると自然放電で失われるエネルギーも多くなり、充電補充するエネルギーも多くなるという問題がある。
【０００６】
そこで、本発明の目的は、コンデンサの充電効率の改善を図り、高温時に対する対応も含めて特に長時間露光の場合にコンデンサに不必要に充電を継続する必要のない省エネルギー型のシャッタを実現して、所定の本数の電池で撮影可能なフィルム本数を増すことができるカメラを提供することにある。
【０００７】
【課題を解決するための手段】
本出願に係る発明の目的を実現する構成は、請求項１に記載のように、第１コンデンサおよび第２コンデンサに蓄えた電気エネルギーをそれぞれ利用しシャッタの先幕および後幕の係止を解除して該シャッタを駆動する電磁駆動シャッタを備えたカメラにおいて、前記シャッタの先幕を走行させる直前に前記第１のコンデンサおよび第２のコンデンサへの充電を停止し、露光時間が所定の時間よりも長い場合には前記シャッタの後幕走行開始の所定時間前から前記第２のコンデンサへの充電を再度行うようにするシャッタ駆動制御手段を有することを特徴とするカメラにある。
【０００８】
この構成によれば、特に長時間の露光の場合コンデンサに不必要な充電を継続する必要がないので、シャッタ精度には影響無しに省エネルギーのシャッタを実現できる。
【０００９】
本出願に係る発明の目的を実現する具体的な構成は、請求項２に記載のように、前記シャッタ駆動制御手段は、レリーズ釦の１段目のスイッチＡを検知して前記第１および第２コンデンサの充電を開始し、前記レリーズ釦の２段目のスイッチＢを検知してカメラの機械的シーケンスを実施して前記第１および第２コンデンサの充電を直前に停止しシャッタ先幕をスタートさせることを特徴とするカメラにある。
【００１０】
この構成によれば、レリーズ釦の第１ストロークで撮影準備に入って第１、２コンデンサの充電を開始し、レリーズ釦の第２ストロークでミラーアップ等のカメラの機械的なシーケンスを行った後、シャッタ先幕スタート直前にコンデンサの充電を停止して、シャッタ先幕をスタートさせることができる。
【００１１】
本出願に係る発明の目的を実現する他の具体的な構成は、請求項３に記載のように、前記シャッタ駆動制御手段は、測光演算結果から露光時間の判断を行い、前記所定の時間未満の場合はシャッタ先幕スタート後に続けてシャッタ後幕をスタートさせ、前記露光時間が前記所定の時間以上の場合は前記所定時間前に再度第２コンデンサの充電を行った後にシャッタ後幕をスタートさせることを特徴とする請求項１又は２記載のカメラにある。
【００１２】
この構成によれば、測光演算結果から露光時間が所定の時間より長いか否かを判断して、長い時はシャッタ先幕スタート後にシャッタ後幕をスタートさせる所定時間前から第２コンデンサを再度充電するという効率的な充電を行って、シャッタ後幕をスタートさせることができる。
【００１３】
【発明の実施の形態】
以下、本発明の実施の形態について図を参照して説明する。
図１は本発明の実施の形態に係るカメラの制御系のブロック図である。
図２は図１に示すシャッタ駆動回路の回路図である。
図３は図１に示すカメラの動作のフローチャートである。
【００１４】
図１において、１はＣＰＵ（中央演算処理装置）、２は測光回路、３は測距回路、２１はシャッタ７等のチャージを行うモータ４を駆動する駆動回路、２２はフィルムを給送するモータ５を駆動する駆動回路、２３はカメラの機械的シーケンスをスタートさせる第１緊定マグネット６を駆動する駆動回路、２４はシャッタ７を駆動する駆動回路、２５は焦点調節のためにレンズ８を駆動する駆動回路、２６はレンズ絞り９を駆動する駆動回路である。
【００１５】
ここで、カメラ全体の概略動作としては、カメラ側でレリーズ釦（図示していない）を半押しするとスイッチＡ１０がＯＮする。ＣＰＵ１はこれを検知して撮影準備に入り、測光回路２と測距回路３の動作をスタートさせ、焦点調節がレンズ８を駆動調節して行われる。次にレリーズ釦全押しでスイッチＢ１１がＯＮすると、ＣＰＵ１はこれを検知して第１緊定マグネット６のコイルに通電して、レンズ８からの被写体像をファインダに導くミラー（図示していない）を跳ね上げるレバーの係止を解除し、ミラーを上方へ退避させると、ミラーアップ信号１５が発生してこれによりミラー退避完了を検知する。
【００１６】
同時にレンズ絞り９が所定位置まで作動する。ミラー退避と、レンズ絞り９の機械シーケンス動作が終了するとシャッタ駆動回路２４によってシャッタ７が作動してフィルムに露光を行う。シャッタ７の作動が終了すると露光終了信号１２が出てモータ４が作動し、シャッタ７のチャージを行うとチャージ信号１３が発生してモータ４を停止制御し、ほぼ同時にモータ５が作動してフィルムを給送し終わるとフィルム給送信号１４が発生してモータ５を停止制御する。更に、退避していたミラーを撮影前の位置に下ろし、レンズ絞り９も解放状態に復帰させて、カメラの１シーケンスが終了する。
【００１７】
次に、図２はシャッタ駆動回路２４の詳細図であり、図中のＭＧ３−１は先幕の緊定を解除する先幕マグネット、ＭＧ３−２は後幕の緊定を解除する後幕マグネット、Ｃ３−１は先幕マグネットＭＧ３−１を駆動するための第１コンデンサである先幕コンデンサ、Ｃ３−２は後幕マグネットＭＧ３−２を駆動するための第２コンデンサである後幕コンデンサ、Ｄ１及びＤ２はダイオード、Ｒ１，Ｒ２，Ｒ３，Ｒ４は抵抗、ＴＲ１は先幕マグネットＭＧ３−１を制御する先幕トランジスタ、ＴＲ２は後幕マグネットＭＧ３−２を制御する後幕トランジスタ、ＶCCは電源電圧である。カメラの場合電源として一般的に電池を使用しているので省エネルギーが望まれ、電源電圧ＶCCも電池からＤＣ／ＤＣコンバータ（図示していない）を経由して供給されている。
【００１８】
図２に示したシャッタ駆動回路の大体の動作は、図１のスイッチＡ１０がＯＮになると撮影準備動作が開始され、先幕コンデンサＣ３−１と後幕コンデンサＣ３−２に、電源電圧ＶCCから充電を開始して、コンデンサＣ３−１とＣ３−２にはシャッタ７が走行開始直前まで充電が行われる。シャッタ７の先幕が走行を開始する直前に充電を停止する。その後ＣＰＵ１から先幕トランジスタＴＲ１に信号が入ると、先幕コンデンサＣ３−１に蓄えられていた電荷が先幕マグネットＭＧ３−１に供給されて先幕マグネットＭＧ３−１が作動し、先幕緊定が解除されて先幕が走行する。次に、露光時間に合わせてＣＰＵ１から後幕トランジスタＴＲ２に信号が入ると、後幕コンデンサＣ３−２に蓄えられていた電荷が後幕マグネットＭＧ３−２に供給されて、後幕マグネットＭＧ３−２が作動し後幕緊定が解除されて、後幕が走行しフィルムへの露光が終了する。
【００１９】
更に、本実施の形態の場合は、露光時間が所定時間より長く、例えば、２秒以上の場合、後幕を走行させる一定時間前（例えば、１００ｍｓ前としている）から再度、後幕コンデンサＣ３−２に充電を行うように制御している。その後ＣＰＵ１から後幕トランジスタＴＲ２に信号が入ると、後幕マグネットＭＧ３−２に後幕コンデンサＣ３−２に蓄えられた電荷が供給されて、後幕の緊定が解除されシャッタの後幕が走行してフィルムへの露光が終了する。
【００２０】
更に、本実施の形態では、高温時には低常温時よりも長時間露光（例えば、２秒以上）の場合には、コンデンサの自然放電により後幕コンデンサＣ３−２の電圧が低下し、後幕マグネットＭＧ３−２を精度良く駆動させるのに十分な電圧を確保できなくなるため、後幕を走行させる所定時間前から後幕コンデンサＣ３−２に再度充電を行うようにした。この場合の所定時間前は充電回路（図示していない）等の条件から１００ｍｓとしている。
【００２１】
つぎに図３のフローチャートを参照して動作について説明する。
【００２２】
先ず、スタンバイしてレリーズ釦（図示していない）の半押しによるスイッチＡのＯＮを検知する（Ｓ１）。未だＯＦＦの場合はＯＮされるまで待機し、ＯＮされたら測光回路２を駆動して測光演算を行い（Ｓ２）、先幕コンデンサＣ３−１と後幕コンデンサＣ３−２に充電を開始し（Ｓ３）、測距回路３を駆動して測距演算を行う（Ｓ４）。この測距演算の結果に基づいてレンズ８を駆動回路２５を介して駆動し、焦点調節を行うことで（Ｓ５）、撮影準備が完了する。
【００２３】
次に、レリーズ釦（図示していない）の全押しによるスイッチＢ１１のＯＮを検知する（Ｓ６）。スイッチＢ１１がＯＮされたら第１緊定マグネット６が作動し、カメラの機械的シーケンスがスタートする（Ｓ７）。先ず、レンズ８からの被写体像をファインダに導くミラー（図示していない）を跳ね上げるレバーの係止が解除されてミラーアップが行われると、ミラーアップ信号１５が発生する（Ｓ８）。これと並行してレンズ絞り９が駆動回路２６により駆動され、所定位置まで絞り込まれる（Ｓ９）。
【００２４】
以上でカメラの機械的シーケンスが終了したら、先幕、後幕コンデンサＣ３−１，Ｃ３−２への充電を停止する（Ｓ１０）。続いてシャッタ７の先幕がスタートし（Ｓ１１）、測光演算結果から露光時間が所定の時間である２秒未満か、２秒以上かを判断する（Ｓ１２）。２秒以上の場合は後幕をスタートさせる１００ｍｓ（所定時間）前から後幕コンデンサＣ３−２を再度充電する（Ｓ１４）。後幕コンデンサＣ３−２への充電を停止してから露光時間に合わせて後幕をスタートさせる（Ｓ１５）。
【００２５】
Ｓ１２の判断で２秒未満の場合は、先幕走行に続いて露光時間に合わせて後幕をスタートさせる（Ｓ１３）。シャッタ７の後幕に連動した露光終了信号１２が出て露光の終了を検知する（Ｓ１６）。その後、ミラーダウンし（Ｓ１７）、駆動回路２６によりレンズ絞り９を解放にする（Ｓ１８）。シャッタ７等のチャージをチャージ信号１３により駆動回路２１を介しモータ４を駆動制御して行う（Ｓ１９）。フイルム給送信号１４により駆動回路２２を介しモータ５を駆動制御してフィルムを給送する（Ｓ２０）。以上で、カメラの１シーケンスが終了する。
【００２６】
このように、本実施の形態によれば、従来は先幕、後幕コンデンサに継続的に充電を行って、容量に限度のある電池エネルギーを無駄に消費していたものが、充電は先幕走行直前までで停止させ、後幕コンデンサへは走行前１００ｍｓ前から再度充電するようにしたので、シャッタ精度には何等影響しない形で電池電源の省エネルギー化を図ることができる。
【００２７】
（請求項と実施の形態の対応）
シャッタ駆動制御手段は、図１に示すようなハード構成におけるシャッタ駆動を、図３のようなＣＰＵによる制御シーケンスに示す改善されたソフトウェアにより制御する手段である。
【００２８】
（他の実施の形態）
ここまでは通常の撮影シーケンスの場合の省エネについて説明したが、特殊例としてバルブ撮影のようにシャッタの露光時間が確定していない例でも、スイッチＢ１１がＯＦＦしてから、後幕が走行する前に後幕コンデンサＣ３−２を１００ｍｓ（所定時間）間再充電してから、後幕を走行するようにセッティングすれば良く、同様なセッティングで同様な省エネルギー効果が得られることは勿論である。
【００２９】
又、ここまで本実施の形態においては、露光時間のしきい値となる所定の時間を２秒、後幕コンデンサＣ３−２に再充電する所定時間を１００ｍｓとしたが、これは一例を挙げて１つの目安として示したものであってこれに限定するものではなく、あくまでもその時の条件次第で最適値を選んで設定すれば良いものであって、コンデンサの容量や駆動電圧・電流、駆動する充電電源等全ての条件を勘案して設定される。
【００３０】
又、先幕、後幕コンデンサＣ３−１，Ｃ３−２の温度に関する検討は、本発明の目的が長時間露光時の継続充電に対する省エネ効果であったために特に詳細には検討されていないが、カメラの温度測定回路等を介した温度データを基にしきい値を設けて再充電する時間に相当する所定時間の変更等といった制御についても、本発明の範囲であることは勿論である。
【００３１】
【発明の効果】
以上説明したように、本発明によれば、シャッタの先幕を走行させる直前にシャッタ用の第１、第２コンデンサの充電を停止し、露光時間の長短の判断を行って、露光時間が所定の時間よりも長い場合には、シャッタの後幕走行開始の所定時間前から後幕用の第２のコンデンサを再充電するように構成したので、シャッタ用コンデンサの充電効率が改善され、高温時の対応も含め特に長時間露光の場合にコンデンサに不必要な充電を継続する必要のない省エネルギーのシャッタを実現して、所定の本数の電池で撮影可能なフィルム本数を増やすことが可能になる。
【図面の簡単な説明】
【図１】本発明の実施の形態に係るカメラの制御系ブロック図である。
【図２】図１に示すシャッタ駆動回路の回路図である。
【図３】図１に示すカメラの動作のフローチャートである。
【図４】従来のコンデンサの放電特性を示す図である。
【符号の説明】
１  ＣＰＵ
２  測光回路
３  測距回路
４，５  モータ
６  第１緊定マグネット
７  シャッタ
８  レンズ
９  レンズ絞り
１０  スイッチＡ
１１  スイッチＢ
１２  露光終了信号
１３  チャージ信号
１４  フィルム給送信号
１５  ミラーアップ信号
２１〜２６  駆動回路
ＭＧ３−１  先幕マグネット
ＭＧ３−２  後幕マグネット
Ｃ３−１  先幕コンデンサ
Ｃ３−２  後幕コンデンサ
【図１】
0003907260.tif 000002
【図２】
0003907260.tif 000003
【図３】
0003907260.tif 000004
【図４】
0003907260.tif 000005